(57)【特許請求の範囲】
【請求項１】
プロセッサと、
前記プロセッサと動作可能に接続されたメモリと
を備え、前記プロセッサは、
パケットチャネル要求を受信し、
前記パケットチャネル要求をワイヤレス端末と関連付け、
パケットリソースをワイヤレス端末のグループに割り振ることによって、前記受信されたパケットチャネル要求の少なくとも１つに応答し、
単一の無線ブロックにおいて、ワイヤレス端末の前記グループにアドレスされた単一のパケット割り振りメッセージを送信する
ように動作可能である、ワイヤレスネットワーク装置。
【請求項２】
前記単一のパケット割り振りメッセージは、ワイヤレス端末の前記グループに共通の共通割り振り情報と、ワイヤレス端末の前記グループの個々の１つに固有の固有割り振り情報との両方を備える、
請求項１に記載のワイヤレスネットワーク装置。
【請求項３】
前記ワイヤレスネットワーク装置は、前記共通割り振り情報が基本絶対フレーム番号を示すものを備えるように、前記単一のパケット割り振りメッセージを送信するように動作可能である、
請求項２に記載のワイヤレスネットワーク装置。
【請求項４】
前記ワイヤレスネットワーク装置は、前記端末固有の割り振り情報が前記基本絶対フレーム番号からのフレームオフセットの数を表すフレーム番号オフセット値を示すものを備えるように、前記単一のパケット割り振りメッセージを送信するように動作可能である、
請求項３に記載のワイヤレスネットワーク装置。
【請求項５】
前記ワイヤレスネットワーク装置は、符号化方式を割り振ることによって前記パケットリソースを割り振り、前記共通割り振り情報が前記符号化方式を示すものを備えるように、前記単一のパケット割り振りメッセージを送信するように動作可能である、
請求項２に記載のワイヤレスネットワーク装置。
【請求項６】
前記ワイヤレスネットワーク装置は、チャネル周波数とタイムスロットとを割り振ることによって前記パケットリソースを割り振り、前記共通割り振り情報が前記チャネル周波数とタイムスロットとを示すものを備えるように、前記単一のパケット割り振りメッセージを送信するように動作可能である、
請求項２に記載のワイヤレスネットワーク装置。
【請求項７】
前記ワイヤレスネットワーク装置は、ブロードキャストチャネルのために使われるチャネル周波数を割り振ることによって前記パケットリソースを割り振り、前記共通割り振り情報が前記ブロードキャストチャネルのために使われる前記チャネル周波数を示すものを備えるように、前記単一のパケット割り振りメッセージを送信するように動作可能である、
請求項２に記載のワイヤレスネットワーク装置。
【請求項８】
前記ワイヤレスネットワーク装置は、前記単一のパケット割り振りメッセージを含むフレームに対応するフレーム番号とは異なるフレーム番号を定義する相対的な開始時間を割り振ることによって前記パケットリソースを割り振り、前記端末固有の割り振り情報が前記相対的な開始時間を示すものを備えるように前記単一のパケット割り振りメッセージを送信するように動作可能である、
請求項２に記載のワイヤレスネットワーク装置。
【請求項９】
ブロードキャストチャネルでブロードキャスト割り振り情報を送信することをさらに備え、前記ブロードキャスト割り振り情報および前記共通割り振り情報が一緒に、組み合わされた共通割り振り情報を形成する、
請求項２に記載のワイヤレスネットワーク装置。
【請求項１０】
プロセッサと、
前記プロセッサへ動作可能に接続されたメモリと
を備え、前記プロセッサは、
パケットチャネル要求を送信し、
単一の無線ブロックで、前記ワイヤレス端末装置および少なくとも１つの他のワイヤレス端末装置にアドレスされた割り振り情報を含む単一のパケット割り振りメッセージを受信し、
前記単一のパケット割り振りメッセージに含まれる前記割り振り情報に基づいて信号を送信することによって前記単一のパケット割り振りメッセージに応答する
ように動作可能である、ワイヤレス端末装置。
【請求項１１】
前記プロセッサは、
前記単一のパケット割り振りメッセージが、前記ワイヤレス端末装置と前記少なくとも１つの他のワイヤレス端末装置の両方にアドレスされた共通割り振り情報と、前記ワイヤレス端末装置にアドレスされた固有割り振り情報との両方を備える時に、前記単一のパケット割り振りメッセージを受信し、
前記共通割り振り情報および前記固有割り振り情報に基づいて信号を送信することによって前記単一のパケット割り振りメッセージに応答する
ように動作可能である、請求項１０に記載のワイヤレス端末装置。
【請求項１２】
前記ワイヤレスネットワーク装置は、前記共通割り振り情報が基本絶対フレーム番号を示すものを備える時に、そのように受信し応答するように動作可能である、
請求項１１に記載のワイヤレス端末装置。
【請求項１３】
前記ワイヤレス端末装置は、前記端末固有の割り振り情報が前記基本絶対フレーム番号からのフレームオフセットの数を表すフレーム番号オフセット値を示すものを備える時に、そのように受信し応答するように動作可能である、
請求項１２に記載のワイヤレス端末装置。
【請求項１４】
前記ワイヤレス端末装置は、前記共通割り振り情報が符号化方式を示すものを備える時に前記単一のパケット割り振りメッセージを受信し、前記示された符号化方式を用いて信号を符号化し前記符号化された信号を送信することによって前記受信された単一のパケット割り振りメッセージに応答するように動作可能である、
請求項１１に記載のワイヤレス端末装置。
【請求項１５】
前記ワイヤレス端末装置は、前記共通割り振り情報がチャネル周波数とタイムスロットとを示すものを備える時に前記単一のパケット割り振りメッセージを受信し、前記示されたチャネル周波数とタイムスロットとを用いて信号を送信することによって前記受信された単一のパケット割り振りメッセージに応答するように動作可能である、
請求項１１に記載のワイヤレス端末装置。
【請求項１６】
前記ワイヤレス端末装置は、前記共通割り振り情報がブロードキャストチャネルのために使われるチャネル周波数を示すものを備える時に前記単一のパケット割り振りメッセージを受信し、前記ブロードキャストチャネルのために使われる前記示されたチャネル周波数を用いて信号を送信することによって前記受信された単一のパケット割り振りメッセージに応答するように動作可能である、
請求項１１に記載のワイヤレス端末装置。
【請求項１７】
前記ワイヤレス端末装置は、
前記端末固有の割り振り情報が前記単一のパケット割り振りメッセージを含むフレームに対応するフレーム番号とは異なるフレーム番号を定義する相対的な開始時間を示すものを備える時に、前記単一のパケット割り振りメッセージを受信し、
前記相対的な開始時間に対応するフレームの間に信号を送信することによって前記受信された単一のパケット割り振りメッセージに応答する
ように動作可能である、請求項１１に記載のワイヤレス端末装置。
【請求項１８】
前記ワイヤレス端末装置は、
ブロードキャストチャネルでブロードキャスト割り振り情報を受信し、
前記ブロードキャスト割り振り情報と前記共通割り振り情報とを組み合わせて、組み合わされた共通割り振り情報を形成する
ように動作可能である、請求項１１に記載のワイヤレス端末装置。
【請求項１９】
前記ワイヤレス装置は、前記共通の絶対フレーム番号と前記フレーム番号オフセット値とを用いて、前記ワイヤレス端末の端末固有の絶対フレーム番号を計算するように動作可能である、
請求項１３に記載のワイヤレス端末装置。
【請求項２０】
ワイヤレスネットワークのパケットリソースを複数のワイヤレス端末に割り振る方法であって、
パケットチャネル要求を受信することと、
前記パケットチャネル要求をワイヤレス端末と関連付けることと、
パケットリソースをワイヤレス端末のグループに割り振ることによって、前記受信されたパケットチャネル要求の少なくとも１つに応答することと、
単一の無線ブロックにおいて、ワイヤレス端末の前記グループにアドレスされた単一のパケット割り振りメッセージを送信することと
を備える、方法。
【請求項２１】
前記単一のパケット割り振りメッセージが、ワイヤレス端末の前記グループに共通の共通割り振り情報と、ワイヤレス端末の前記グループの個々の１つに固有の固有割り振り情報との両方を備えるように、前記単一のパケット割り振りメッセージを送信することをさらに備える、
請求項２０に記載の方法。
【請求項２２】
前記共通割り振り情報が基本絶対フレーム番号を示すものを備えるように、前記単一のパケット割り振りメッセージを送信することをさらに備える、
請求項２１に記載の方法。
【請求項２３】
前記端末固有の割り振り情報が、前記基本絶対フレーム番号からのフレームオフセットの数を表すフレーム番号オフセット値を示すものを備えるように、前記単一のパケット割り振りメッセージを送信することを備える、
請求項２２に記載の方法。
【請求項２４】
前記パケットリソースを前記割り振ることは、符号化方式を割り振ることを備え、前記送信することは、前記共通割り振り情報が前記符号化方式を示すものを備えるように、前記単一のパケット割り振りメッセージを送信することを備える、
請求項２１に記載の方法。
【請求項２５】
前記パケットリソースを前記割り振ることは、チャネル周波数とタイムスロットとを割り振ることを備え、前記送信することは、前記共通割り振り情報が前記チャネル周波数とタイムスロットとを示すものを備えるように、前記単一のパケット割り振りメッセージを送信することを備える、
請求項２１に記載の方法。
【請求項２６】
前記パケットリソースを前記割り振ることは、ブロードキャストチャネルのために使われるチャネル周波数を割り振ることを備え、前記送信することは、前記共通割り振り情報が前記ブロードキャストチャネルのために使われる前記チャネル周波数を示すものを備えるように、前記単一のパケット割り振りメッセージを送信することを備える、
請求項２１に記載の方法。
【請求項２７】
前記パケットリソースを前記割り振ることは、前記単一のパケット割り振りメッセージを含むフレームに対応するフレーム番号とは異なるフレーム番号を定義する相対的な開始時間を割り振ることを備え、前記送信することは、前記端末固有の割り振り情報が前記相対的な開始時間を示すものを備えるように前記単一のパケット割り振りメッセージを送信することを備える、
請求項２１に記載の方法。
【請求項２８】
ブロードキャストチャネルでブロードキャスト割り振り情報を送信することをさらに備え、前記ブロードキャスト割り振り情報および前記共通割り振り情報が一緒に、組み合わされた共通割り振り情報を形成する、
請求項２１に記載の方法。
【請求項２９】
ワイヤレス端末装置において使用するための方法であって、
単一の無線ブロックで、前記ワイヤレス端末装置および少なくとも１つの他のワイヤレス端末装置にアドレスされた割り振り情報を含む単一のパケット割り振りメッセージを受信することと、
前記割り振り情報に基づいて信号を送信することによって前記単一のパケット割り振りメッセージに応答することと
を備える、方法。
【請求項３０】
前記単一のパケット割り振りメッセージが、前記ワイヤレス端末装置と前記少なくとも１つの他のワイヤレス端末装置の両方に共通の共通割り振り情報と、前記ワイヤレス端末装置に固有の固有割り振り情報との両方を備える時に、前記単一のパケット割り振りメッセージを受信することと、
前記共通割り振り情報および前記固有割り振り情報に基づいて信号を送信することによって前記単一のパケット割り振りメッセージに応答することと
をさらに備える、請求項２９に記載の方法。
【請求項３１】
ワイヤレスネットワークのパケットリソースを複数のワイヤレス端末に割り振るためのワイヤレスネットワーク装置であって、
パケットチャネル要求を受信するための手段と、
前記パケットチャネル要求をワイヤレス端末と関連付けるための手段と、
パケットリソースをワイヤレス端末のグループに割り振ることによって、前記受信されたパケットチャネル要求の少なくとも一部に応答するための手段と、
単一の無線ブロックにおいて、ワイヤレス端末の前記グループにアドレスされた単一のパケット割り振りメッセージを送信するための手段と
を備える、ワイヤレスネットワーク装置。
【請求項３２】
前記送信するための手段は、
前記ワイヤレス端末のグループに共通の共通割り振り情報と、前記ワイヤレス端末のグループの個々の１つに固有の固有割り振り情報とを送信するための手段をさらに備える、
請求項３１に記載のワイヤレスネットワーク装置。
【請求項３３】
前記送信するための手段は、前記共通割り振り情報が基本絶対フレーム番号を示すものを備えるように前記単一のパケット割り振りメッセージを送信するための手段を備える、
請求項３２に記載のワイヤレスネットワーク装置。
【請求項３４】
前記送信するための手段は、前記端末固有の割り振り情報が前記基本絶対フレーム番号からのフレームオフセットの数を表すフレーム番号オフセット値を示すものを備えるように前記単一のパケット割り振りメッセージを送信するための手段をさらに備える、
請求項３３に記載のワイヤレスネットワーク装置。
【請求項３５】
前記応答するための手段は、符号化方式を割り振ることによって前記パケットリソースを割り振るための手段を備え、
前記送信するための手段は、前記共通割り振り情報が前記符号化方式を示すものを備えるように前記単一のパケット割り振りメッセージを送信するための手段を備える、
請求項３２に記載のワイヤレスネットワーク装置。
【請求項３６】
前記応答するための手段は、チャネル周波数とタイムスロットとを割り振ることによって前記パケットリソースを割り振るための手段を備え、前記送信するための手段は、前記共通割り振り情報が前記チャネル周波数とタイムスロットとを示すものを備えるように前記単一のパケット割り振りメッセージを送信するための手段を備える、
請求項３２に記載のワイヤレスネットワーク装置。
【請求項３７】
前記応答するための手段は、ブロードキャストチャネルのために使われるチャネル周波数を割り振ることによって前記パケットリソースを割り振るための手段を備え、前記送信するための手段は、前記共通割り振り情報が前記ブロードキャストチャネルのために使われる前記チャネル周波数を示すものを備えるように前記単一のパケット割り振りメッセージを送信するための手段を備える、
請求項３２に記載のワイヤレスネットワーク装置。
【請求項３８】
応答するための前記手段は、前記単一のパケット割り振りメッセージを含むフレームに対応するフレーム番号とは異なるフレーム番号を定義する相対的な開始時間を割り振ることによって前記パケットリソースを割り振るための手段を備え、送信するための前記手段は、前記端末固有の割り振り情報が前記相対的な開始時間を示すものを備えるように前記単一のパケット割り振りメッセージを送信するための手段を備える、
請求項３２に記載のワイヤレスネットワーク装置。
【請求項３９】
送信するための前記手段は、ブロードキャストチャネルでブロードキャスト割り振り情報を送信するための手段を備え、前記ブロードキャスト割り振り情報および前記共通割り振り情報が一緒に、組み合わされた共通割り振り情報を形成する、
請求項３２に記載のワイヤレスネットワーク装置。
【請求項４０】
ワイヤレスネットワークのパケットリソースを複数のワイヤレス端末に割り振るためのワイヤレスネットワーク装置であって、
プロセッサと、
前記プロセッサと通信するメモリと
を備え、前記メモリは、前記プロセッサによって実行されると、
パケットチャネル要求を受信することと、
前記パケットチャネル要求をワイヤレス端末と関連付けることと、
パケットリソースをワイヤレス端末のグループに割り振ることによって、前記受信されたパケットチャネル要求の少なくとも一部に応答することと、
単一の無線ブロックにおいて、ワイヤレス端末の前記グループにアドレスされた単一のパケット割り振りメッセージを送信することと
から成る機能を実行する命令を備える、ワイヤレスネットワーク装置。
【請求項４１】
前記命令は、前記プロセッサによって実行されると、前記単一のパケット割り振りメッセージがワイヤレス端末の前記グループに共通の共通割り振り情報とワイヤレス端末の前記グループの個々の１つに固有の固有割り振り情報との両方を備えるように前記単一のパケット割り振りメッセージを送信することから成る前記機能を実行する、
請求項４０に記載のワイヤレスネットワーク装置。
【請求項４２】
プロセッサと、
前記プロセッサと通信するメモリと
を備え、前記メモリは、前記プロセッサによって実行されると、
単一の無線ブロックで、前記ワイヤレス端末装置および少なくとも１つの他のワイヤレス端末装置にアドレスされた割り振り情報を備える単一のパケット割り振りメッセージを受信することと、
前記割り振り情報に基づいて信号を送信することによって前記単一のパケット割り振りメッセージに応答することと
から成る機能を実行する命令を備えるワイヤレス端末装置。
【請求項４３】
前記受信することから成る機能は、
前記単一のパケット割り振りメッセージが、前記ワイヤレス端末装置と前記少なくとも１つの他のワイヤレス端末装置とに共通の共通割り振り情報と、前記ワイヤレス端末装置に固有の固有割り振り情報との両方を備える時に、前記単一のパケット割り振りメッセージを受信することと、
前記共通割り振り情報および前記固有割り振り情報に基づいて信号を送信することによって前記単一のパケット割り振りメッセージに応答することと
を備える、請求項４２に記載のワイヤレス端末装置。
【請求項４４】
コンピュータによって実行されると、
パケットチャネル要求を受信することと、
前記パケットチャネル要求をワイヤレス端末と関連付けることと、
パケットリソースをワイヤレス端末のグループに割り振ることによって、前記受信されたパケットチャネル要求の少なくとも一部に応答することと、
単一の無線ブロックにおいて、ワイヤレス端末の前記グループにアドレスされた単一のパケット割り振りメッセージを送信することと
から成る機能を実行する命令を備える、コンピュータ可読媒体。
【請求項４５】
コンピュータによって実行されると、
単一の無線ブロックで、ワイヤレス端末装置および少なくとも１つの他のワイヤレス端末装置にアドレスされた割り振り情報を備える単一のパケット割り振りメッセージを受信することと、
前記割り振り情報に基づいて信号を送信することによって前記単一のパケット割り振りメッセージに応答することと
から成る機能を実行する命令を備える、コンピュータ可読媒体。
【請求項４６】
パケットチャネル要求を受信し、前記パケットチャネル要求をワイヤレス端末と関連付け、パケットリソースをワイヤレス端末のグループに割り振ることによって前記受信されたパケットチャネル要求の少なくとも一部に応答し、ワイヤレス端末の前記グループにアドレスされており、ワイヤレス端末の前記グループに共通の共通割り振り情報とワイヤレス端末の前記グループの個々の１つに固有の固有割り振り情報との両方を備えている、単一のパケット割り振りメッセージを単一の無線ブロックにおいて送信するように動作可能である、
ワイヤレスネットワーク装置。
【請求項４７】
パケットチャネル要求を送信し、ワイヤレス端末装置および少なくとも１つの他のワイヤレス端末装置にアドレスされており、前記ワイヤレス端末装置と前記少なくとも１つの他のワイヤレス端末装置の両方にアドレスされた共通割り振り情報と前記ワイヤレス端末装置にアドレスされた固有割り振り情報との両方を備えている、単一のパケット割り振りメッセージを単一の無線ブロックにおいて受信し、前記共通割り振り情報および前記固有割り振り情報に基づいて信号を送信することによって前記単一のパケット割り振りメッセージに応答するように動作可能である、
ワイヤレス端末装置。
【請求項４８】
ワイヤレスネットワークのパケットリソースを複数のワイヤレス端末に割り振る方法であって、
パケットチャネル要求を受信することと、前記パケットチャネル要求をワイヤレス端末と関連付けることと、パケットリソースをワイヤレス端末のグループに割り振ることによって前記受信されたパケットチャネル要求の少なくとも一部に応答することと、ワイヤレス端末の前記グループにアドレスされており、ワイヤレス端末の前記グループに共通の共通割り振り情報とワイヤレス端末の前記グループの個々の１つに固有の固有割り振り情報との両方を備えている、単一のパケット割り振りメッセージを単一の無線ブロックにおいて送信することと
を備える、方法。
【請求項４９】
ワイヤレス端末装置において使用する方法であって、
前記ワイヤレス端末装置および少なくとも１つの他のワイヤレス端末装置にアドレスされており、前記ワイヤレス端末装置と前記少なくとも１つの他のワイヤレス端末装置の両方に共通の共通割り振り情報と前記ワイヤレス端末装置に固有の固有割り振り情報との両方を備えている、単一のパケット割り振りメッセージを単一の無線ブロックにおいて受信することと、前記共通割り振り情報および前記固有割り振り情報に基づいて信号を送信することによって前記単一のパケット割り振りメッセージに応答することと
を備える、方法。
【請求項５０】
ワイヤレスネットワークのパケットリソースを複数のワイヤレス端末に割り振るためのワイヤレスネットワーク装置であって、
プロセッサと、
前記プロセッサと通信するメモリと
を備え、前記メモリは、前記プロセッサによって実行されると
パケットチャネル要求を受信することと、
前記パケットチャネル要求をワイヤレス端末と関連付けることと、
パケットリソースをワイヤレス端末のグループに割り振ることによって、前記受信されたパケットチャネル要求の少なくとも一部に応答することと、
ワイヤレス端末の前記グループにアドレスされており、ワイヤレス端末の前記グループに共通の共通割り振り情報とワイヤレス端末の前記グループの個々の１つに固有の固有割り振り情報との両方を備えている、単一のパケット割り振りメッセージを単一の無線ブロックにおいて送信することと
から成る機能を実行する命令を備える、
ワイヤレスネットワーク装置。
【請求項５１】
プロセッサと、
前記プロセッサと通信するメモリと
を備え、前記メモリは、前記プロセッサによって実行されると、
前記ワイヤレス端末装置および少なくとも１つの他のワイヤレス端末装置にアドレスされており、前記ワイヤレス端末装置と前記少なくとも１つの他のワイヤレス端末装置とに共通の共通割り振り情報と前記ワイヤレス端末装置に固有の固有割り振り情報との両方を備えている、単一のパケット割り振りメッセージを単一の無線ブロックにおいて受信することと、
前記共通割り振り情報および前記固有割り振り情報に基づいて信号を送信することによって前記単一のパケット割り振りメッセージに応答することと
から成る機能を実行する命令を備える、ワイヤレス端末装置。
【発明の詳細な説明】
【関連出願】
【０００１】
関連出願の相互参照および優先権の主張
本特許出願は、２０１０年１１月１１日に出願された米国特許仮出願第６１／４１２，６６９号に関し、その優先権を主張するものであり、上記仮出願の全体が、以下で説明されるようにすべての目的のために参照により本明細書に組み込まれる。
【技術分野】
【０００２】
本発明の実施形態は一般に、通信システムに関し、より詳細には、ワイヤレスネットワークパケットリソースを複数のワイヤレス端末に割り振ることを提供し可能にするデバイス、システムおよび方法に関する。
【背景技術】
【０００３】
ネットワークリソースを必要とするワイヤレス端末は、ネットワークリソースに対する要求を送信する。各ワイヤレス端末は、チャネル要求をアクセスチャネルを通じて送信することによって、ネットワークにサービスを要求する。チャネル要求は、回線交換サービスを要求するために、または、パケット交換サービスを要求するために、送信され得る。ワイヤレス端末がパケットサービスを要求する場合、ワイヤレス端末は、いわゆるパケットチャネル要求を送信する。
【０００４】
ネットワークは、割り振りメッセージまたは割り振り拒絶メッセージのいずれかをアクセス許可チャネルを通じて送信することによって、チャネル要求に応答する。割り振りメッセージは、ワイヤレス端末がチャネルを割り振られていることを示す。割り振り拒絶メッセージは、ワイヤレス端末がチャネルを割り振られていないことを示し、要求されたチャネルに割り当てるリソースをネットワークが十分有さない場合に送信される。
【０００５】
アクセスチャネルを含むチャネルは、所定の量のデータを各々含むデータスロットへと、時分割される。通常のネットワークは、アクセスチャネルの各データスロットにおいて、チャネル要求を受信することができる。しかし、ネットワークは、アクセス許可チャネルのデータスロットのごく一部の間に割り振りメッセージまたは割り振り拒絶メッセージしか、アクセス許可チャネルで送信できない。また、ネットワークは、任意のある時間において１つのパケットチャネル要求に応答する割り振りメッセージしか送信できず、各割り振りメッセージは、１つのワイヤレス端末しか指定しない。したがって、ネットワークは、アクセス許可チャネルのデータスロットの一部の間のみ、一度に１つのパケットチャネル要求にだけ肯定的に応答できる。アクセスチャネルとアクセス許可チャネルの両方のデータスロットは通常、同じ数の情報ビットを含む。
【０００６】
上記のことから、アクセスチャネルの容量とアクセス許可チャネルの容量の間には実質的な不均衡が存在し、それによって、任意の所与の期間において、ネットワークは、その所与の期間に送信できる数の割り振りメッセージよりも多くの、パケットチャネル要求を受信し得ることが明らかである。したがって、ネットワークは、アクセスチャネルのデータスロットのごく一部よりも多くの部分でパケットチャネル要求を受信する場合、受信するすべてのパケットチャネル要求に応答する割り振りメッセージを送信できない。
【０００７】
その結果、パケットチャネル要求を送信した、かつネットワークから全く応答を受信しないワイヤレス端末が、より多くのパケットチャネル要求を送信することになる。ワイヤレス端末が、ブロードキャスト情報を介してネットワークによって定められる最大の数のパケットチャネル要求を送信し、それに応答する割り振りメッセージを受信しないと、ワイヤレス端末は、アクセスチャネルの障害が発生したと判定し、セル再選択をトリガする。セル再選択は、ユーザデータを送信または受信できるようになる前に登録更新を実行するように、ワイヤレス端末に要求することができる。登録更新は、大量のシステムリソースを使い、時間がかかる。したがって、複数のアクセスチャネル障害は、システム性能の低下につながり得る。
【０００８】
既存のワイヤレスセルラーネットワークは、主に人間のユーザにサービスを提供するように設計されている。ネットワークは、セル当たり限られたセットのユーザをサービスするような大きさにされる。今後のネットワークは、人間の介入を必要としないタイプのワイヤレス端末を備える、新種のサービスをユーザに提供する必要があるだろう。１つのそのような新種のサービスは、マシンタイプ通信（ＭＴＣ：Machine Type Communication）またはマシンツーマシン通信（Ｍ２Ｍ：Machine to Machine communication）として知られている。いわゆるＭＴＣワイヤレス端末の例は、ＭＴＣデータを備える報告を送信することによって、測定された値をＭＴＣサーバへ定期的かつ自動的に報告する、スマートメーターである。そのようなデバイスの他の例は、個人向け健康管理器、車両／製品追跡デバイス、環境モニター、およびセキュリティモニターである。
【０００９】
ＭＴＣ用途では、特に同じセルの中の非常に小さい領域内に、非常に大量のＭＴＣワイヤレス端末を有することが可能である。各ＭＴＣワイヤレス端末は、頻繁にネットワークと通信する必要があることがあり、このことは、多数のパケットチャネル要求の送信が所与の時間に存在する場合には、ネットワークの過負荷につながり得る。
【００１０】
１つの可能性のある解決法は、任意の所与のＭＴＣワイヤレス端末からの、複数の隣接するチャネル要求の間の遅延を大きくすることであるが、これは問題を長引かせるだけである。遅延が長すぎると、前の報告がまだ送信されるのを待機している間に、ＭＴＣワイヤレス端末が新たな報告を生成する可能性がある。したがって、この解決法はすべての場合に対して適切ではない。
【００１１】
代替的な解決法は、アクセスチャネルとアクセス許可チャネルとの複数のペアを有することであるが、これはより多くのネットワークリソースを必要とし、事業者にとって望ましくないことがある。
【発明の概要】
【００１２】
本発明は、添付の特許請求の範囲によって定められる。
【００１３】
送信される単一のパケット割り振りメッセージは、複数のワイヤレス端末に対してパケット割り振りを開始できるようにするために、ネットワークによって使われ得る。このことは、複数のパケットチャネル要求がネットワークによって受信される時に、各々のそのようなメッセージのより効率的な使用を実現する。
【００１４】
パケット割り振りメッセージが送信されるチャネルが、パケットチャネル要求が受信されるチャネルよりも小さい通信容量を有する場合には、上記のことは有利であり得る。単一のパケット割り振りメッセージが送信されるチャネルの有効容量は、少なくとも２倍になり、３倍にもなり得る。容量の向上は、チャネル上の混雑を低減するように働く。これによって、送信したチャネル要求への肯定的な応答をワイヤレス端末が受信する確率が上がる。したがって、後続のデータ転送が成功する確率が上がる。
【００１５】
特許請求される特徴は、アップリンクおよびダウンリンクにおける、一段階のデータ転送と二段階のデータ転送の両方に対する、割り振り手順の効率の改善をもたらし得る。この特徴はまた、ワイヤレス端末に対するリソースの割り振りを示すために使われるチャネルの容量が制限されていることによりデータ転送の第一段階において存在する、ボトルネックの問題に対処するために適用され得る。
【００１６】
本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含み得る。言い換えれば、１つまたは複数の実施形態が、いくつかの有利な特徴を有するものとして説明され得るが、そのような特徴のうちの１つまたは複数は、本明細書で説明する本発明の様々な実施形態にも従って使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１７】
本発明のさらなる特徴および利点が、添付の図面を参照して単なる例として与えられる、以下の詳細な説明を考慮するとより明らかになるだろう。
【図１】本発明のいくつかの実施形態による、ワイヤレスセルラー通信システムの概略図。
【図２】本発明のいくつかの実施形態による、ワイヤレスリンクを通じて互いに通信しているネットワーク装置とワイヤレス端末とを示す図。
【図３】本発明のいくつかの実施形態による、図２に示されるネットワーク装置のより詳細な概略図。
【図４】本発明のいくつかの実施形態による、パケットチャネルを複数のワイヤレス端末に割り振るためのプロセスの流れ図。
【図５】本発明のいくつかの実施形態による、ＧＥＲＡＮワイヤレス通信システムのネットワーク装置とワイヤレス端末とを表す概略図。
【図６】本発明のいくつかの実施形態による、パケットチャネルを複数のワイヤレス端末に割り振るための、ネットワーク装置の構成を示す図。
【発明を実施するための形態】
【００１８】
図１は、ワイヤレスセルラー通信システム１００の概略図である。ワイヤレスセルラー通信システム１００は、基地局１１０、１１１、１１４、基地局コントローラ１４１〜１４４、およびモバイル交換センター１５１、１５２を備える、ネットワーク１０１を含む。システム１００はまた、ワイヤレスリンク１６０を介して基地局１１０、１１１、１１４と通信できる、ワイヤレス端末１２３〜１２７を含む。基地局１１０、１１１、１１４およびワイヤレス端末１２３〜１２７は各々、信号の送信および受信にそれぞれ使われる、送信機および受信機を有する。ダウンリンク信号は、ネットワーク１０１の基地局１１０、１１１、１１４によって送信され、ワイヤレス端末１２３〜１２７によって受信される。アップリンク信号は、ワイヤレス端末１２３〜１２７によって送信され、ネットワーク１０１の基地局１１０、１１１、１１４によって受信される。
【００１９】
基地局コントローラ１４１〜１４４は、基地局１１０、１１１および１１４を介したモバイル交換センター１５１、１５２の制御下で、同じセルまたは異なるセルにある異なるワイヤレス端末１２３〜１２７との間でデータを搬送する信号をルーティングするように動作する。モバイル交換センター１５１、１５２は、公衆交換電話網（ＰＳＴＮ）１６２に接続される。データを搬送する信号は、ワイヤレス端末１２３〜１２７の各々と、他の通信ネットワークの通信装置との間で、公衆交換電話網１６２を介して転送され得る。したがって、公衆交換電話網１６２は、ワイヤレス通信システム１００と他の通信システムとの間で呼がルーティングされるのを可能にする。そのような他の通信システムは、有線システム、光ファイバーシステム、および、異なる種類の、かつ異なる規格に適合する、他のモバイルセルラー通信システムを含む。
【００２０】
ワイヤレス通信システム１００は、ワイヤレス端末１２３〜１２７が任意のある時間において選択された基地局（ワイヤレス端末のアクティブな基地局）に登録され得るように設計される。ワイヤレス端末１２３〜１２７は、セル再選択として知られているプロセスによって、異なる基地局に登録され得るので、新たに割り振られる基地局が、ワイヤレス端末のアクティブな基地局になる。セル再選択は通常、セル間をワイヤレス端末が移動する時、または、アクティブな基地局とワイヤレス端末との間で送信されるデータの品質が閾値を下回って低下した時、または、たとえば、ワイヤレス端末が登録されているセルにおけるトラフィックの混雑が原因で、要求したネットワークリソースをワイヤレス端末が拒絶された時に、実行される。
【００２１】
ワイヤレス通信システムにおいて送信される、様々なタイプのデータが存在する。音声データは、ショートメッセージサービス（ＳＭＳ）データのように、回線交換接続を用いて大半が送信される。音声データは、最小の遅延（レイテンシと呼ばれる）で送信される。文書、画像および映像のようなデータは、可変の遅延またはレイテンシで送信され得る、かつ間欠的に送信され得る、いわゆるパケットへとデータが分割される、パケット接続を用いて一般に送信される。
【００２２】
図２は、ダウンリンク２３０およびアップリンク２４０を備える２つのワイヤレスリンクを通じて互いに通信している、ネットワーク装置２１０およびワイヤレス端末２２０を示す、簡略的な図である。１つのワイヤレス端末２２０のみが示されているが、通常は、所与の期間内にネットワーク装置２１０と各々通信できる、複数のそのようなワイヤレス端末２２０が存在する。１つまたは複数のネットワーク装置２１０を含む基地局は通常、複数の方向の信号を受信および送信できる、１つまたは複数のアンテナを有する。したがって、ダウンリンク２３０およびアップリンク２４０で送信される信号は通常、複数の方向に送信される。その結果、ネットワーク装置２１０によって送信される信号は、複数のワイヤレス端末によって受信され得る。
【００２３】
ネットワーク機器の機能はネットワークごとに変わるので、基地局の統合の程度は異なり得る。ＢＳＣおよび基地局によって一緒に実行される組み合わされた機能は、異なって共有され得るので、より統合された基地局は、ＢＳＣに共通に含まれる機能を有し得る。この例のネットワーク装置２１０は、どのような機能が図１の基地局１１０内にあるかに応じて、図１の基地局１１０と、図１の基地局コントローラ１４４と基地局１１０の組合せとのいずれかに相当する。ワイヤレス端末２２０は、図１のワイヤレス端末１２５に相当する。
【００２４】
ダウンリンク２３０およびアップリンク２４０で送信される信号は、トラフィックチャネルで通常送信されるユーザデータと、制御チャネルで送信される制御データとを搬送する。「ユーザデータ」は、ワイヤレス端末２２０によって使われる、またはワイヤレス端末２２０によって送信するためのデータであり、パケットデータを含み得る。
【００２５】
ワイヤレス端末２２０は、ユーザデータと制御データとを含むデータをダウンリンク２３０を通じて受信するための、受信機２２１を備える。ワイヤレス端末２２０はまた、ユーザデータと制御データとをアップリンク２４０で送信できる、送信機２２２を含む。送信機２２２および受信機２２１は、命令およびデータ、たとえば、プロセッサ２２３に結合されるメモリ２２４に格納されているリソースパラメータに従って、プロセッサ２２３によって制御される。
【００２６】
ネットワーク装置２１０は、ユーザデータと制御データとを含むデータを、ダウンリンク２３０を介して送信するための送信機２１１と、ユーザデータと制御データとをアップリンク２４０を介して受信するための受信機２１２とを備える。送信機２１１および受信機２１２は、プロセッサ２１３に結合されるメモリ２１４に格納されている命令およびデータに従って、プロセッサ２１３によって制御される。
【００２７】
ネットワーク装置２１０の送信機２１１によって送信される制御データおよびワイヤレス端末２２０の送信機２２２によって送信される制御データは、１つまたは複数の制御チャネルで送信される制御データを含む。
【００２８】
任意の所与の時間において、多数のワイヤレス端末２２０が、パケットデータを送信または受信するための、ネットワーク１０１のパケットサービスを必要とし得る。ワイヤレス端末２２０がネットワーク１０１のパケットサービスを必要とする時、ワイヤレス端末２２０は、パケットチャネル要求メッセージの形態で、パケットチャネルに対する要求を送信することができる。そのようなパケットチャネル要求メッセージは通常、制御チャネルを通じて送信される。制御チャネルは、シグナリング情報、すなわち制御データを送信して受信するために、ワイヤレス通信システムにおいて共通に使われる。そのような制御データは、パケットチャネルを要求するために、ワイヤレス端末によって制御チャネルを通じて送信される。ネットワーク装置２１０の受信機２１２は、パケットチャネル要求メッセージを備える制御データを受信する。ネットワーク装置２１０の受信機２１２はまた、他のワイヤレス端末（図面には示されない）によって送信される、１つまたは複数の他のパケットチャネル要求メッセージを受信することができる。
【００２９】
受信機２１２は、ある期間内にワイヤレス端末によって送信されるパケットチャネル要求の数ｍを受信する。数ｍは、その期間にパケットチャネル要求を送信するネットワーク装置２１０の通信範囲内のワイヤレス端末の数に依存する、０以上の可変の数である。数ｍはまた、ネットワーク装置２１０がその期間に受信できる、パケットチャネル要求の数に依存する。たとえば、５個のワイヤレス端末が、その期間内にパケットチャネル要求を送信し、ネットワーク装置２１０が、その期間内に最大で５０個のパケットチャネル要求を受信できる場合、ｍは５に等しい。あるいは、１００個のワイヤレス端末が、その期間内にパケットチャネル要求を送信し、ネットワーク装置２１０が、その期間内に最大で５０個のパケットチャネル要求を受信できる場合、ｍは５０に等しい。
【００３０】
ネットワーク１０１は、ｎ個のパケットチャネル要求を送信したｎ個のワイヤレス端末に対してネットワークリソースを割り振り、次いで、リソースがｎ個のワイヤレス端末に割り振られたことを示す割り振りメッセージを送信することによって、最大でｎ個の受信されたパケットチャネル要求に応答することができる。したがって、数ｎは、ネットワーク装置がパケット割り振りメッセージ内で示す、パケットチャネル割り振の数を表す。数ｎは０以上であり、数ｍ以下である。数ｎは、利用可能なネットワークリソースによって、かつ、パケット割り振りメッセージを搬送するアクセス許可チャネルの利用可能な帯域幅によって、決定される。通常、ｎの最大値は、ｍの最大値よりもはるかに小さい。たとえば、ｍの最大値は５０前後であり得るが、ｎの最大値は４であり得る。
【００３１】
ネットワーク装置２１０のプロセッサ２１３は、ネットワーク装置２１０の送信機２１１を制御して、割り振りメッセージと割り振り拒絶メッセージのいずれかを、チャネルをワイヤレス端末へ割り振るのに使われる制御チャネル（アクセス許可チャネル）を通じて送信することによって、ｍ個の受信されたパケットチャネル要求メッセージのいくつかまたはすべてに応答する。割り振りメッセージは、ｎ個のワイヤレス端末がパケットチャネルを割り振られていることを示す。割り振り拒絶メッセージは、ワイヤレス端末がパケットチャネルを割り振られていないことを示し、要求されたパケットチャネルに割り当てるリソースをネットワークが十分有さない場合に送信される。
【００３２】
ワイヤレス端末２２０の受信機２２１は、割り振りメッセージを受信し、あるいは割り振り拒絶メッセージを受信する。ワイヤレス端末２２０のプロセッサ２２３は、割り振りメッセージまたは割り振り拒絶メッセージに従って応答する。プロセッサ２２３は、割り振りメッセージによって示される割り振られたパケットチャネルを用いて信号を送信するように、送信機２２２を制御することによって、割り振りメッセージに応答する。あるいは、プロセッサ２２３は、定められた時間間隔の後に別のパケットチャネル要求を送信することによって、割り振り拒絶メッセージに応答する。ワイヤレス端末２２０が定められた数のパケットチャネル要求を送信し、別の定められた時間間隔の中でそれに応答する割り振りメッセージを受信していない場合、プロセッサ２２３はセル再選択を開始する。
【００３３】
図３は、図２に示されるネットワーク装置のより詳細な概略図である。プロセッサ２１３は、理解を容易にするために、様々な機能ブロックを含むものとして示される。そうした機能ブロックの機能がすべて、プロセッサ２１３内に含まれていてよく、または機能の一部またはすべてが、プロセッサ２１３の外部にあってもよい。たとえば、機能の一部は、デジタルシグナルプロセッサ（ＤＳＰ）内にあってよい。こうして様々な構成が可能であることが、当業者には明らかであろう。この例におけるプロセッサ２１３は、関連付け器３１３と、割り振り器３１４と、ブロックスケジューラ３１５とを備える。受信機２１２は、ある期間内にワイヤレス端末によって送信される、ある数、すなわちｍ個のパケットチャネル要求を受信する。数ｍは、その期間にパケットチャネル要求を送信するネットワーク装置２１０の通信範囲内のワイヤレス端末の数に依存する、０以上の可変の数である。数ｍはまた、ネットワーク装置２１０がその期間に受信できる、パケットチャネル要求の数に依存する。たとえば、５個のワイヤレス端末が、その期間内にパケットチャネル要求を送信し、ネットワーク装置２１０が、その期間内に最大で５０個のパケットチャネル要求を受信できる場合、ｍは５に等しい。あるいは、１００個のワイヤレス端末が、その期間内にパケットチャネル要求を送信し、ネットワーク装置２１０が、その期間内に最大で５０個のパケットチャネル要求を受信できる場合、ｍは５０に等しい。
【００３４】
関連付け器３１３は、受信機２１２に結合され、パケットチャネル要求に含まれる一時的な識別情報を識別することによって、受信されたパケットチャネル要求と、パケットチャネル要求を送信したワイヤレス端末とを関連付ける。一時的な識別情報は、パケットチャネル要求を送信したワイヤレス端末とネットワーク１０１が一時的に関連付ける、ランダムビットのセットを備える。関連付け器は、一時的な識別情報を割り振り器３１４に出力する。
【００３５】
割り振り器３１４は、ｍ個のパケットチャネル要求を送信したｍ個のワイヤレス端末の少なくとも一部を含む、ｎ個のワイヤレス端末のグループへ、ネットワークのパケットリソースを割り振る。数ｎは、ネットワーク装置がパケット割り振りメッセージ内で示す、パケットチャネル割り振りの数を表す。数ｎは０以上であり、数ｍ以下である。数ｎの最大値は、利用可能なネットワークリソースによって、かつ、パケット割り振りメッセージを搬送するアクセス許可チャネルの利用可能な帯域幅によって、決定される。通常、ｎの最大値は、ｍの最大値よりもはるかに小さい。たとえば、ｍの最大値は５０前後であり得るが、ｎの最大値は５前後であり得る。
【００３６】
割り振り器は、パケットチャネル要求と関連付けられる優先順位に基づいて、パケットリソースの割り振りを実行する。この優先順位は、要求するワイヤレス端末が緊急のサービスを要求しているかどうか、ユーザのカテゴリー（たとえば、仕事またはプライベート）、または他の基準のような、基準に依存し得る。割り振り器３１４は、ｎ個のワイヤレス端末によって送信され、受信されたパケットチャネル要求内に含まれる、ｎ個の一時的な識別情報を、割り振られたパケットリソースの識別情報とともに、ブロックスケジューラ３１５および送信機２１１へと出力する。
【００３７】
ブロックスケジューラ３１５は、多数のフレームを備える無線ブロックを割り当てる。たとえば、パケット割り振りメッセージを送信するための４個のフレームは、無線ブロックを送信機に示す。送信機２１１は、示された無線ブロックにおいて、ｎ個のワイヤレス端末のグループにアドレスされた単一のパケット割り振りメッセージを送信する。
【００３８】
パケット割り振りメッセージは、２つの部分に分割される。一方の部分は、ｎ個のワイヤレス端末のグループに共通の割り振り情報を備え、他方の部分は、ｎ個のワイヤレス端末のグループの個々のワイヤレス端末に固有の、固有割り振り情報を備える。固有割り振り情報は、固有割り振り情報のｎ個のセットを含み、各セットは、ｎ個のワイヤレス端末のグループの個々のワイヤレス端末に固有である。グループの各ワイヤレス端末は、そのワイヤレス端末に固有の固有割り振り情報のセットを使って、ネットワークとの通信に用いる、そのワイヤレス端末のための固有のチャネルパラメータを設定する。
【００３９】
図４は、複数のワイヤレス端末（図１の１２３〜１２７、図２の２２０）へとパケットチャネルを割り振るための、プロセス４００の流れ図であり、プロセス４００は、図２および図３のネットワーク装置２１０によって使われるのに適している。ブロック４０１において、ある数、すなわちｍ個のパケットチャネル要求が、ある期間にネットワーク装置によって受信され、これらのパケットチャネル要求は、図２のワイヤレス端末２２０のようなｍ個のワイヤレス端末によって送信されたものである。ネットワーク装置が受信する、その期間に送信された多くのパケットチャネル要求が存在し得る。したがって、ｍは、大きな数、たとえば５０というオーダーの数であり得る。同様に、その期間に要求を行ったワイヤレス端末がない場合、ｍは０であり得る。
【００４０】
ブロック４０２において、ｍ個の受信されたパケットチャネル要求は、ｍ個のパケットチャネル要求に含まれる一時的な識別情報によって、ｍ個のワイヤレス端末と関連付けられる。一時的な識別情報は、２つのチャネル要求が同じチャネル要求であるものとしてネットワーク装置によって解釈される可能性を低くすることによって、競合を低減または回避するために使われる。
【００４１】
ブロック４０３において、ｍ個の受信されたパケットチャネル要求の一部であるｎ個が識別され、ｎは、上で説明されたようにｍ以下であり得る。ネットワーク装置は、受信されたすべてのｍ個のパケットチャネル要求に対して、常に直ちに応答できるとは限らない。それは、ネットワーク装置が、所与の時間間隔において、限られた数のパケットチャネル要求にしか応答できないからである。これは、アクセス許可チャネルの限られた帯域幅が原因である。ネットワーク装置２１０が受信したチャネル要求に対して応答する際に介するアクセス許可チャネルの通信帯域幅が限られていることが原因で、ネットワーク装置は所与の時間間隔において、最大の数のパケットチャネル要求にしか応答できないことがある。加えて、利用可能なネットワークパケットリソースが限られていることがある。たとえば、使用されておらず利用可能なネットワークパケットリソースが存在しないことがある。したがって、ネットワーク装置２１０は、（ａ）アクセス許可チャネルの帯域幅に基づいて、かつ（ｂ）利用可能なネットワークパケットリソースに基づいて、ｎ個のパケットチャネル要求を識別する。数ｎは０であってよく、いずれの場合でも、ｍ以下である。
【００４２】
ブロック４０４において、ネットワークは、ネットワークのパケットリソースを、ｎ個のパケットチャネル要求と関連付けられるｎ個のワイヤレス端末のグループに割り振ることによって、ｎ個のパケットチャネル要求に応答する。数ｎは、たとえば１と４の間であってよい。
【００４３】
ブロック４０５において、ある数のデータフレーム、たとえば４個のデータフレームを備える単一の無線ブロックが、割り振りメッセージの送信のために割り当てられる。無線ブロックは、割り振りメッセージまたは割り振り拒絶メッセージを格納するのに十分なデータを格納する、データフレームのセット（たとえば４個のフレーム）である。
【００４４】
ブロック４０６において、単一の割り振りメッセージは、単一の割り当てられた無線ブロックにおいて、図２のネットワーク装置２１０によって送信される。ネットワーク装置２１０が割り振りメッセージを送信する場合、割り振りメッセージは、ネットワークリソースがｎ個のワイヤレス端末のグループに割り振られていることを示す。割り振りメッセージは、両方ともｎ個のワイヤレス端末のグループを対象とする、共通割り振り情報と端末固有の割り振り情報とを含む。共通割り振り情報は、割り振りメッセージによって指定されたｎ個のワイヤレス端末２２０のすべてに共通の情報であり、各々の指定されたワイヤレス端末２２０は、共通割り振り情報を用いて、ネットワーク装置２１０と通信するためにワイヤレス端末２２０内でパラメータを設定する。固有割り振り情報は、指定されたワイヤレス端末の個々の１つに固有の情報である。各々の指定されたワイヤレス端末は、自身の固有割り振り情報を使って、ネットワーク装置２１０と通信するためにワイヤレス端末２２０内でパラメータを設定する。
【００４５】
固有割り振り情報は、固有割り振り情報の少なくとも１つのセットを含み、各セットは、ｎ個のワイヤレス端末のグループの個々のワイヤレス端末に固有であり、ｎは０とｍの間である。グループの各ワイヤレス端末は、そのワイヤレス端末に固有の固有割り振り情報のセットを使って、ネットワークと通信する際にそのワイヤレス端末が使う、固有のチャネルパラメータを設定する。
【００４６】
例および関連する図面の上記の説明は、動作の全般的な原理と、多くの異なるタイプのワイヤレス通信システムに適用され得る全般的な特徴とを、示すように機能する。この説明の以下の部分は、そうした動作の全般的な原理および全般的な特徴が、特定のタイプのワイヤレス通信システムに同様に適用され得るかを説明する。
【００４７】
ジェネラルパケットラジオシステム（ＧＰＲＳ：General Packet Radio System）は、パケットデータが、どのように送信され、グローバルシステムフォーモバイルコミュニケーションズ（ＧＳＭ（登録商標）：Global System for Mobile Communications）として知られている遠隔通信規格のセットと適合するワイヤレス通信システムにおいてどのように受信されるかを定める、規格のセットである。ＧＰＲＳのさらなる発展形は、エンハンスドＧＰＲＳ（ＥＧＰＲＳ）として、そうでなければエンハンスドデジタルＧＳＭエボリューション（ＥＤＧＥ：Enhanced Digital GSM Evolution）として集合的に知られている、規格のセットである。規格のすべてのこれらのセットは、ＧＳＭ／ＥＤＧＥ  ラジオアクセスネットワーク（ＧＥＲＡＮ）として集合的に知られており、第３世代パートナーシッププロジェクト（３ＧＰＰ）として知られている規格を制定する組織によって管理されている。
【００４８】
ＧＥＲＡＮによれば、データは、物理チャネルと論理チャネルとを備えるチャネルを通じて送信される。物理チャネルは、１つまたは複数のタイムスロットと、１つまたは複数の周波数とを備える。物理チャネルの例は、ダウンリンク周波数とダウンリンクタイムスロットとを使って制御チャネルを送信するための、かつ、対応するアップリンク周波数とアップリンクタイムスロットとを使って制御データを送信するための、制御チャネルである。データはデータフレームで送信され、データフレームは、５１個のデータフレームを含むグループへとグループ化される。フレームのグループは、５１マルチフレームとして知られている。５１マルチフレームは、各々が５１マルチフレームの４個のフレームを備える無線ブロックへと分割される。現在のＧＥＲＡＮ規格によれば、割り振りメッセージは単一の無線ブロックで送信される。
【００４９】
図５は、ＧＥＲＡＮワイヤレス通信システムのネットワーク装置２１０とワイヤレス端末２２０とを表す概略図である。ネットワーク装置２１０は、送信機２１１と、受信機２１２と、プロセッサおよびメモリサブシステム２１３０とを備える。ワイヤレス端末は、受信機２２１と、送信機２２２と、プロセッサおよびメモリサブシステム２２３０とを備える。ワイヤレス端末２２０は、パケットデータを送信または受信するためのパケットチャネルを必要とする場合、送信機２２２を介し、ランダムアクセスチャネル（ＲＡＣＨ）として知られる共通の制御チャネルを通じて、「ＰＡＣＫＥＴ  ＣＨＡＮＮＥＬ  ＲＥＱＵＥＳＴメッセージ」５０１の形態で、パケットチャネルに対する要求を送信する。ＲＡＣＨは、データフレーム当たり、ＲＡＣＨデータの１つまたは複数のスロット（ＲＡＣＨスロット）を含み得る。
【００５０】
ＧＥＲＡＮシステムのネットワーク装置２１０は、受信機２１２を用いて、ＰＡＣＫＥＴ  ＣＨＡＮＮＥＬ  ＲＥＱＵＥＳＴメッセージ５０１を受信する。ネットワーク装置２１０は、ＲＡＣＨの各スロットで、ＰＡＣＫＥＴ  ＣＨＡＮＮＥＬ  ＲＥＱＵＥＳＴメッセージを受信することができる。これは、５１個以上のワイヤレス端末が５１マルチフレームの期間内にパケットチャネル要求を送信する場合、ネットワーク装置２１０が、最大で５１個のＰＡＣＫＥＴ  ＣＨＡＮＮＥＬ  ＲＥＱＵＥＳＴメッセージを、ワイヤレス端末２２０および他の異なるワイヤレス端末から、５１マルチフレームの中で受信できるということを意味する。
【００５１】
ネットワーク装置２１０は、「ＰＡＣＫＥＴ  ＩＭＭＥＤＩＡＴＥ  ＡＳＳＩＧＮＭＥＮＴメッセージ」５０２、あるいは「ＡＳＳＩＧＮＭＥＮＴ  ＲＥＪＥＣＴメッセージ」５０３のいずれかを、アクセス許可チャネル（ＡＧＣＨ）と呼ばれる共通の制御チャネルを通じて、送信機２１１を介して送信することによって、受信されたＰＡＣＫＥＴ  ＣＨＡＮＮＥＬ  ＲＥＱＵＥＳＴメッセージに応答する。ＰＡＣＫＥＴ  ＩＭＭＥＤＩＡＴＥ  ＡＳＳＩＧＮＭＥＮＴメッセージは、ワイヤレス端末２２０がパケットチャネルを割り振られていることを示す。ＡＳＳＩＧＮＭＥＮＴ  ＲＥＪＥＣＴメッセージ５０３は、ワイヤレス端末２２０がパケットチャネルを割り振られていないことを示し、要求されたパケットチャネルに割り当てるリソースをネットワークが十分有さない場合に送信される。
【００５２】
ワイヤレス端末２２０は、ＰＡＣＫＥＴ  ＩＭＭＥＤＩＡＴＥ  ＡＳＳＩＧＮＭＥＮＴメッセージ５０２またはＡＳＳＩＧＮＭＥＮＴ  ＲＥＪＥＣＴメッセージ５０３を、受信機２２１を介して受信する。ワイヤレス端末２２０は次いで、ＰＡＣＫＥＴ  ＩＭＭＥＤＩＡＴＥ  ＡＳＳＩＧＮＭＥＮＴメッセージ５０２またはＡＳＳＩＧＮＭＥＮＴ  ＲＥＪＥＣＴメッセージ５０３に従って応答する。ワイヤレス端末２２０のプロセッサ２２３は、ＰＡＣＫＥＴ  ＩＭＭＥＤＩＡＴＥ  ＡＳＳＩＧＮＭＥＮＴメッセージ５０２によって示される割り振られたパケットチャネルを用いて信号５０４を送信するように、ワイヤレス端末２２０の送信機２２２を制御することによって、ＰＡＣＫＥＴ  ＩＭＭＥＤＩＡＴＥ  ＡＳＳＩＧＮＭＥＮＴメッセージに応答する。あるいは、プロセッサ２２３は、定められた時間間隔の後に別のＰＡＣＥＫＴ  ＣＨＡＮＮＥＬ  ＲＥＱＵＥＳＴメッセージ５０１を送信することによって、ＡＳＳＩＧＮＭＥＮＴ  ＲＥＪＥＣＴメッセージ５０３に応答する。ワイヤレス端末２２０が定められた数のＰＡＣＥＫＴ  ＣＨＡＮＮＥＬ  ＲＥＱＵＥＳＴメッセージを送信し、別の定められた時間間隔の中でそれに応答するＰＡＣＫＥＴ  ＩＭＭＥＤＩＡＴＥ  ＡＳＳＩＧＮＭＥＮＴメッセージ５０２を受信していない場合、プロセッサ２２３は、ＣＥＬＬ  ＲＥＳＥＬＥＣＴ  ＩＮＩＴＩＡＴＥ信号５０５を送信することによって、セル再選択を開始する。
【００５３】
図６は、パケットチャネルを複数のワイヤレス端末（図示せず）に割り振るための、ネットワーク装置２１０の構成を示す図である。６個のパケットチャネル要求が、ランダムアクセスチャネル（ＲＡＣＨ）４０７上で、スロットｘから（ｘ＋５）６０１〜６０６の中でワイヤレス端末によって送信される。さらなるパケットチャネル要求は、他のワイヤレス端末によって送信され、図面には示されない。ワイヤレスネットワーク装置２１０は、信号パスの状態に応じて、すべてではなくても大半の送信されたパケットチャネル要求を受信する。
【００５４】
ネットワーク装置２１０は、矢印６２０〜６２３によって示されるように、６個の送信されたチャネル要求を受信し、６個の送信されたパケットチャネル要求のうちのｍ個（この例では４個）を処理することを選択する。ネットワーク装置２１０は、この例では、６個のパケットチャネル要求のうちの４個しか選択しない。それは、ネットワーク装置２１０が、単一の割り振りメッセージを使って最大で４個のチャネル要求にしか肯定的に応答できないからである。
【００５５】
ネットワーク装置２１０は、自身が、単一の割り振りメッセージを用いて、ｎ個のパケットチャネル要求（ここでｎ≦ｍ）に肯定的に応答するであろうと、判定する。数ｎの決定は、アクセス許可チャネルの帯域幅（メッセージサイズおよび周波数によって決定される）に基づき、また利用可能なネットワークリソースにも基づく。この例では、ネットワーク装置２１０は、単一の無線ブロックで単一の割り振りメッセージを送信することによって、最大で、最大値である４個のチャネル要求に応答することができる。この例では、ネットワークが４個のワイヤレス端末へチャネルを割り振るのに十分なリソースを有するので、ｎは４に等しい。
【００５６】
ネットワーク装置２１０は、割り振りメッセージを送信する。割り振りメッセージは、フレーム番号ｋ、ｋ＋１、ｋ＋２、およびｋ＋３  ６１０〜６１３において、アクセス許可チャネル（ＡＧＣＨ）６０９上で、「ＰＡＣＫＥＴ  ＩＭＭＥＤＩＡＴＥ  ＡＳＳＩＧＮＭＥＮＴメッセージ」６０８の形態で送信される。この構成は、メッセージが２つ以上のワイヤレス端末（ＧＥＲＡＮシステムの場合、最大で４個の端末）を指定できるという点で、ＡＧＣＨをより良好に利用する。このメッセージは、指定されたワイヤレス端末にネットワークパケットリソースが割り振られたことを示す。ＰＡＣＫＥＴ  ＩＭＭＥＤＩＡＴＥ  ＡＳＳＩＧＮＭＥＮＴメッセージの情報の内容が、以下で説明され、以下の表で示される。
【００５７】
ＰＡＣＫＥＴ  ＩＭＭＥＤＩＡＴＥ  ＡＳＳＩＧＮＭＥＮＴメッセージの情報の内容は、７個の情報要素に含まれる。これらの７個の情報要素の最初の５個は、以下の通りである。
【００５８】
・Ｌ２擬似長（L2 Pseudo Length）情報要素  
・ＲＲ管理プロトコルディスクリミネータ（RR management Protocol Discriminator）情報要素  
・スキップインジケータ（Skip Indicator）情報要素  
・即時パケット割り振りメッセージタイプ（Immediate Packet Assignment Message Type）情報要素  
・ページモード（Page Mode）情報要素
ＩＥのものとして知られているこれらの５個の情報要素は、現在のＧＥＲＡＮ規格に従って定められた標準的な情報要素である。
【００５９】
最後の２つの情報要素は、チャネルコーディングコマンド（Channel Coding Command）情報要素およびＰＡＣＫＥＴ  ＩＭＭＥＤＩＡＴＥ  ＡＳＳＩＧＮＭＥＮＴ（ＰＩＡ）の残りのオクテット（Rest Octets）情報要素である。これらの２つの情報要素はともに、図２から図５に関して上で言及された、共通割り振り情報と固有割り振り情報とを含む。以下の表は、ＰＡＣＫＥＴ  ＩＭＭＥＤＩＡＴＥ  ＡＳＳＩＧＮＭＥＮＴメッセージの７個の情報要素の詳細を示す。
【表１】
0005410645.tif 000002
【００６０】
上記の表の最後に挙げられている「ＰＩＡの残りのオクテット（PIA Rest Octets）」情報要素は、現在のＧＥＲＡＮ規格で使われるＰＩＡの残りのオクテット情報要素と同様である。現在のＧＥＲＡＮ規格によれば、ＰＩＡの残りのオクテット情報要素は、チャネルを所与のワイヤレス端末に割り振るのに使われる、一定の数のビットで構成される。
【００６１】
この例では、ＰＩＡの残りのオクテット情報要素は、同じ一定の数のビットを含むが、ビットは異なるように構成される。一定の数のビットは、共通割り振り情報を定義するビットの共通のセットと、固有割り振り情報を一緒に定義する少なくとも１つのビットの固有セットとを含む。各々の固有のビットのセットは、パケットチャネルを異なるワイヤレス端末に割り振るのに使われる、端末固有の割り振り情報を定義する。これは、ＰＡＣＫＥＴ  ＩＭＭＥＤＩＡＴＥ  ＡＳＳＩＧＮＭＥＮＴメッセージが、２つ以上（この例では最大で４つ）のワイヤレス端末のパケット割り振り情報を搬送できることを意味する。各々の固有のビットのセットは、グループの個々のワイヤレス端末のための固有パケット割り振り情報を搬送するために使われる。
【００６２】
ワイヤレス端末は、ワイヤレス端末の固有パケット割り振り情報を含み、共通割り振り情報とともに１つまたは複数の他の端末の固有パケット割り振り情報を含み得る、ＰＡＣＫＥＴ  ＩＭＭＥＤＩＡＴＥ  ＡＳＳＩＧＮＭＥＮＴメッセージを受信する。ワイヤレス端末は、自身の固有割り振り情報（他の端末の固有割り振り情報とは異なるような）と共通割り振り情報とを組み合わせ、端末のための組み合わされた割り振り情報を生成する。ＰＡＣＫＥＴ  ＩＭＭＥＤＩＡＴＥ  ＡＳＳＩＧＮＭＥＮＴメッセージは、ネットワークのパケットリソースを要求する各ワイヤレス端末のための、必要不可欠なパケット割り振り情報しか提供しない。共通割り振り情報は、ＰＡＣＫＥＴ  ＩＭＭＥＤＩＡＴＥ  ＡＳＳＩＧＮＭＥＮＴメッセージによって指定されるワイヤレス端末のすべてに対して共通となるように定められる。固有割り振り情報は、ＰＡＣＫＥＴ  ＩＭＭＥＤＩＡＴＥ  ＡＳＳＩＧＮＭＥＮＴメッセージによって指定されるワイヤレス端末の個々の端末に対して固有となるように定められる。
【００６３】
ＰＡＣＫＥＴ  ＩＭＭＥＤＩＡＴＥ  ＡＳＳＩＧＮＭＥＮＴメッセージのＰＩＡの残りのオクテット情報要素に含まれる情報のタイプの概要、および各々のそのようなタイプの情報の特性が、ここで例として与えられる。
【００６４】
すべての指定されたワイヤレス端末は、同じ周波数およびタイムスロットを割り振られる。Ｔ１’、Ｔ２およびＴ３から計算された、１つの基本絶対フレーム番号ＦＮのみが存在する。すべてのワイヤレス端末は、ＦＮ＿ＯＦＦＳＥＴの値をＦＮに加算することによって、この基本絶対フレーム番号に対する固有の絶対フレーム番号を計算し、このときＦＮ＿ＯＦＦＳＥＴ≧０である。
【００６５】
単一のブロック割り振りでは、割り振られる無線ブロックは、相対的な開始時間によって定められる。相対的な開始時間は、パケット割り振りメッセージを含むフレーム番号からの、フレームの数を定める。
【００６６】
ＥＧＰＲＳ一時ブロックフロー（ＴＢＦ）割り振りでは、ウィンドウサイズは、割り振られるタイムスロットの数に対して適切なデフォルトの値であると想定される。ＰＡＣＫＥＴ  ＩＭＭＥＤＩＡＴＥ  ＡＳＳＩＧＮＭＥＮＴメッセージでは、単一のタイムスロットのみが割り振られる。
【００６７】
ＡＬＰＨＡ値は与えられない。割り振りメッセージによって指定されるワイヤレス端末は、ブロードキャスト値またはデフォルト値を使う。
【００６８】
割り振りメッセージによって指定されるすべてのワイヤレス端末は、一時論理リンク識別情報（ＴＬＬＩ）を含む無線リンク制御（ＲＬＣ）データブロックに対して、符号化方式ＭＣＳ−１または符号化方式ＣＳ−１を使用すると想定される。
【００６９】
ダウンリンクＴＢＦの場合は、割り振りメッセージによって指定されるすべてのワイヤレス端末が、同一のリンク品質測定モードを使用すると想定される。このフィールドの存在はまた、ダウンリンクＴＢＦがＥＧＰＲＳで動作していること、そうでなければダウンリンクＴＢＦがＧＰＲＳモードで動作していることを示す。
【００７０】
ＴＢＦ割り振りでは、チャネルコーディングコマンド（Channel Coding Command）は、以下のように、割り振られたアップリンクＴＢＦの変調および符号化を定義する。
【００７１】
ａ）ＧＰＲＳ  ＴＢＦが割り振られると、チャネルコーディングコマンドは、符号化方式のセットＣＳ−１、ＣＳ−２、ＣＳ−３およびＣＳ−４から、値の１つを取り出す。
【００７２】
ｂ）ＥＧＰＲＳ  ＴＢＦが割り振られると、チャネルコーディングコマンドは、符号化方式のセットＭＣＳ−１、ＭＣＳ−２、ＭＣＳ−３、ＭＣＳ−４、ＭＣＳ−５、ＭＣＳ−６、ＭＣＳ−７、ＭＣＳ−８およびＭＣＳ−９から、値の１つを取り出す。
【００７３】
ＰＩＡの残りのオクテット情報要素の内容のさらなる詳細が、擬似コードのリストを参照して以下で説明される。ＰＩＡの残りのオクテットは、  
・パケットアップリンク割り振り（Packet Uplink Assignment）の定義、  
・パケット単一ブロックアップリンク割り振り（Packet Single Block Uplink Assignment）の定義、および  
・パケットダウンリンク割り振り（Packet Downlink Assignment）の定義を含む。
【００７４】
各定義は、三角括弧の中に含まれる対応する見出しによって、以下の擬似コードのリストにおいて指定される。直下の擬似コードのリストは、最高のレベルにおいてＰＩＡの残りのオクテット情報要素に何が含まれているかを定義する。  
【数１】
0005410645.tif 000003
【００７５】
Ｐａｃｋｅｔ  Ｕｐｌｉｎｋ  Ａｓｓｉｇｎｍｅｎｔの定義は、以下の擬似コードのリストによって表される。  
【数２】
0005410645.tif 000004
【００７６】
上に列挙されたパラメータであるランダム基準（Random Reference）、ＦＮ＿ＯＦＦＳＥＴ、ＧＡＭＭＡ、タイミングアドバンス（Timing Advance）、ＴＦＩ＿ＡＳＳＩＧＮＭＥＮＴ、およびＵＳＦは、メッセージによって指定されるワイヤレス端末のグループの各ワイヤレス端末のＰＡＣＫＥＴ  ＩＭＭＥＤＩＡＴＥ  ＡＳＳＩＧＮＭＥＮＴメッセージに含まれる。これらのパラメータは一緒に、メッセージによって指定されるｎ個のワイヤレス端末のグループの中のワイヤレス端末の各々のための、固有割り振り情報を表す。これは、テキスト「**0; Repeated as many times as necessary, limited by the space in the PACKET IMMEDIATE ASSIGNMENT message（ＰＡＣＥＫＴ  ＩＭＭＥＤＩＡＴＥ  ＡＳＳＩＧＮＭＥＮＴメッセージの空間によって制限される、必要とする回数だけ繰り返せ）」によって示される。
【００７７】
たとえば、３つのワイヤレス端末がメッセージによって指定される場合、メッセージは、ＦＮ＿ＯＦＦＳＥＴの３つのインスタンス、ＧＡＭＭＡの３つのインスタンス、タイミングアドバンス（Timing Advance）の３つのインスタンス、ＴＦＩ＿ＡＳＳＩＧＮＭＥＮＴの３つのインスタンス、およびＵＳＦの３つのインスタンスを含む。パラメータの各インスタンスは、グループのある特定のワイヤレス端末を対象とする。固有のパラメータが、ここで簡単に説明される。
【００７８】
１１ビットのランダム基準（Random Reference）の数は、指定されている各ワイヤレス端末に対して定義され、ワイヤレス端末の一時的な識別情報として機能する。このランダム基準の数は、チャネル要求メッセージ中でワイヤレス端末によって送信され、異なるワイヤレス端末からの異なるチャネル要求を区別するためにネットワークによって使われる。ランダム基準の数は、チャネル要求を送信したワイヤレス端末によって受信され、ＰＡＣＫＥＴ  ＩＭＭＥＤＩＡＴＥ  ＡＳＳＩＧＮＭＥＮＴメッセージがそうしたワイヤレス端末の各々にアドレスされている可能性が高いかどうかを判定するために、そうしたワイヤレス端末の各々によって使われる。
【００７９】
６ビットのフレームオフセットの数は、ＦＮ＿ＯＦＦＳＥＴとして定義され、定義された基本絶対フレーム番号ＦＮに対する、フレーム番号のフレームオフセットの数を表す。グループ中の他のワイヤレス端末は、フレームオフセット値ＦＮ＿ＯＦＦＳＥＴを適用することによって、第１のワイヤレス端末よりも後で自身の信号を送信する。
【００８０】
基本絶対フレーム番号ＦＮは通常、ｎ個のワイヤレス端末のグループの第１のワイヤレス端末がＰＡＣＫＥＴ  ＩＭＭＥＤＩＡＴＥ  ＡＳＳＩＧＮＭＥＮＴメッセージに応答して信号を送信するフレームの、フレーム番号であり、第１のワイヤレス端末は自身の信号を最も早く送信し、グループ中の他のワイヤレス端末は、フレームオフセット値ＦＮ＿ＯＦＦＳＥＴを適用することによって、自身の信号を後で送信する。
【００８１】
ＧＡＭＭＡは、送信される信号の必要な信号出力に関連するパラメータを定義する、５ビットのパラメータである。この値はたとえば、ワイヤレス端末において受信された信号出力のレベルの値に依存する。
【００８２】
６ビットのタイミングアドバンスの値は、ワイヤレス端末によって送信された信号のタイミングを定義して、送信された信号が規定されたタイムスロットの間にネットワークにおいて受信されるのを確実にするように機能する。
【００８３】
５ビットのＴＦＩ情報（一時フローインジケータ）フィールドは、（ランダム基準の数に加えて）ワイヤレス端末のさらなる一時的な識別情報として機能する。ＴＦＩ＿ＡＳＳＩＧＮＭＥＮＴフィールド（５ビットのフィールド）は、一時的フロー識別（Temporary Flow Identity）のバイナリ表現である。ダウンリンクＲＬＣ／ＭＡＣ制御ブロックでは、このフィールドは、制御メッセージがアドレスされた移動局を示す。さらなる詳細は、３ＧＰＰ  ＴＳ  ４４．０６０、ｓｅｃｔｉｏｎ  １０．４．１０において見出され得る。
【００８４】
３ビットのアップリンク状態フラグ（ＵＳＦ）は、チャネルの割り振りが実行された後に、ワイヤレス端末がデータを送信できる無線ブロックを決定する。
【００８５】
パラメータＴ１’、Ｔ２、Ｔ３、ＴＮ、「ＢＣＣＨ周波数を使用（Use BCCH frequency）」、および「周波数パラメータ（Frequency Parameters）」は一緒に、ＰＡＣＫＥＴ  ＩＭＭＥＤＩＡＴＥ  ＡＳＳＩＧＮＭＥＮＴメッセージによって指定されるｎ個のワイヤレス端末のグループのすべてに共通の、共通割り振り情報を表す。したがって、各パラメータの１つのみのインスタンスがメッセージに含まれる必要があり、指定されたグループ中のすべてのｎ個のワイヤレス端末によって使われる。これらの共通のパラメータが、ここで簡単に説明される。
【００８６】
Ｔ１’、Ｔ２、Ｔ３は一緒に、上で説明された基本絶対フレーム番号ＦＮを計算するために使われる。
【００８７】
ＴＮは、データを送信するためにワイヤレス端末が使用するタイムスロット番号を定義する。同じタイムスロットが、ＰＡＣＫＥＴ  ＩＭＭＥＤＩＡＴＥ  ＡＳＳＩＧＮＭＥＮＴメッセージによって指定された、ワイヤレス端末のグループ中のｎ個すべてのワイヤレス端末によって使われる。
【００８８】
１ビットのＴＢＦ＿ＭＯＤＥ：ビットは、ＴＢＦ（一時ブロックフロー）割り振りにしか関係しない。ＴＢＦ＿ＭＯＤＥビットの値が０である場合、これは、ＧＰＲＳ一時ブロックフロー（ＴＢＦ）が割り振られることを意味し、ＴＢＦ＿ＭＯＤＥビットの値が１である場合、これは、ＥＧＰＲＳ  ＴＢＦが割り振られることを示す。
【００８９】
単一ビットのフラグ（０または１）は、データの送信にＢＣＣＨ周波数を使うかどうかを示すように機能する。ビットの値が０である場合、ビットは、ＢＣＣＨ周波数が使われるべきであることを示す。ビットの値が１である場合、ビットは、ＢＣＣＨ周波数が使われるべきではないことを示す。
【００９０】
「周波数パラメータ」情報要素は、単一ビットのフラグ（すぐ上で説明された）の値が１である時に使われる。周波数パラメータ情報要素は、データの送信に使うべき、ＢＣＣＨ以外のチャネル周波数を定義するのに使われる。制御チャネルが使われるか使われないかに関わらず、同じ周波数が、ＰＡＣＫＥＴ  ＩＭＭＥＤＩＡＴＥ  ＡＳＳＩＧＮＭＥＮＴメッセージによって指定された、ワイヤレス端末のグループ中のｎ個すべてのワイヤレス端末によって使われる。
【００９１】
パケット単一ブロックアップリンク割り振り（Packet Single Block Uplink Assignment）が、ここで説明される。パケット単一ブロックアップリンク割り振りは、２段階のアップリンク割り振りの第１段階を表し、２つの段階の各々は、異なる競合解消手順を有する。第２段階の競合手順はより安定しており（より多くのビットの情報を使用する）、したがって、大量のデータを送信および受信する時に、第２段階が使われる傾向がある。少量のデータ、たとえば小さいメッセージでは、第１段階しか使われない傾向がある。第１段階の競合解消は、通信の帯域幅のより効率的な使用を実現するが、安定性は低い。ＭＴＣ通信では、大半で第１段階が使われ、第２段階は滅多に使われない。パケット単一ブロックアップリンク割り振りは、ＰＡＣＫＥＴ  ＩＭＭＥＤＩＡＴＥ  ＡＳＳＩＧＮＭＥＮＴメッセージによって指定される各ワイヤレス端末に対して定義される。パケット単一ブロックアップリンク割り振りの定義は、以下の擬似コードのリストによって表される。
【数３】
0005410645.tif 000005
【００９２】
上に列挙されたパラメータであるランダム基準、ＦＮ＿ＯＦＦＳＥＴ、ＧＡＭＭＡ、タイミングアドバンス、および相対的開始時間（Relative Starting Time）は、メッセージによって指定されるワイヤレス端末のグループの各ワイヤレス端末のための固有割り振り情報を一緒に表す。これは、「**0; Repeated as many times as necessary, limited by the space in the message（メッセージの空間によって制限される、必要とされる回数だけ繰り返せ）」によって示される。すぐ上で列挙されたパケット単一ブロックアップリンク割り振りの中の情報のいくつかのフィールドはまた、前に説明されたパケットアップリンク割り振り情報の中にも存在することに留意されたい。そうしたフィールドは、ここでは再び説明されない。
【００９３】
パケットダウンリンク割り振り（Packet Downlink Assignment）が、ここで説明される。パケットダウンリンク割り振りの定義は、以下の擬似コードのリストによって表される。
【数４】
0005410645.tif 000006
【００９４】
ＴＬＬＩ、ＴＦＩ＿ＡＳＳＩＧＮＭＥＮＴ、ＧＡＭＭＡ、およびタイミングアドバンス（Timing Advance）は一緒に、固有割り振り情報を表す。
【００９５】
ＲＬＣ＿ＭＯＤＥ、ＴＮ、ＬＩＮＫ＿ＱＵＡＬＩＴＹ＿ＭＥＡＳＵＲＥＭＥＮＴ＿ＭＯＤＥ、および周波数パラメータは一緒に、共通割り振り情報を表す。
【００９６】
ＴＦＩ＿ＡＳＳＩＧＮＭＥＮＴフィールド、ＧＡＭＭＡフィールド、タイミングアドバンスフィールド、ＴＮフィールド、および周波数パラメータフィールドは、前に説明されたパケットアップリンク割り振り情報の中にも存在することに留意されたい。そうしたフィールドは、ここでは再び説明されない。
【００９７】
ＴＬＬＩは、端末が接続モードにある間、ワイヤレス端末の一時的な識別情報として機能する３２ビットのコードである。
【００９８】
ＲＬＣモード情報は、ＴＮ（３ビットのタイムスロット番号）を含む。
【００９９】
２つのＬＩＮＫ  ＱＵＡＬＩＴＹ  ＭＥＡＳＵＲＥＭＥＮＴ  ＭＯＤＥビットは、ＧＰＲＳ  ＴＢＦとＥＧＰＲＳ  ＴＢＦのいずれかを示すように機能する。
【０１００】
ワイヤレス端末がＰＡＣＫＥＴ  ＩＭＭＥＤＩＡＴＥ  ＡＳＳＩＧＮＭＥＮＴメッセージを受信し、新たに割り振られたパケットリソースを使うように構成されると、ネットワーク装置は、既存のまたはレガシーのＧＥＲＡＮプロトコル手順を使って、各々のワイヤレス端末に追加の／異なるリソースを任意選択で割り振ることができる。
【０１０１】
本明細書で説明する機能は、ハードウェア、ソフトウェア、ファームウェア、またはそれらの組合せで実装され得る。この機能は、１つまたは複数の命令またはコードとして、コンピュータ可読媒体に記憶されてよく、またはコンピュータ可読媒体を通じて送信されてよい。コンピュータ可読媒体は、コンピュータによってアクセスされ得る、または、命令もしくはデータ構造の形態で、あるエンティティから別のエンティエィもしくはある場所から別の場所への、コンピュータプログラムもしくはコードの移送を容易にする、任意の利用可能な媒体を含む。コンピュータ可読媒体は、限定はされないが、コンピュータ記憶媒体、通信媒体、メモリ、光記憶装置、磁気記憶装置、または接続を含む。たとえば、ソフトウェアが、接続を使用して、ウェブサイト、サーバ、または、他のリモートソースから送信される場合、その接続は、コンピュータ可読媒体の定義に含まれ、限定はされないが、同軸ケーブル、光ファイバケーブル、ツイストペア、デジタル加入者線（ＤＳＬ）、または、赤外線、無線、およびマイクロ波のようなワイヤレス技術を含み得る。本明細書で使用するディスク（disk）およびディスク（disc）という用語は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、データを磁気的にまたは光学的に再生するための任意の手段を備え得る。上記のタイプの媒体の組合せも、コンピュータ可読媒体の範囲内に含めるべきである。
【０１０２】
上の説明は、例としてのみ与えられる。当業者が想起し得るような修正および変形が、添付の特許請求の範囲とその等価物において述べられるような、本発明の趣旨および範囲から逸脱することなく行われ得る。
【図１】
0005410645.tif 000007
【図２】
0005410645.tif 000008
【図３】
0005410645.tif 000009
【図４】
0005410645.tif 000010
【図５】
0005410645.tif 000011
【図６】
0005410645.tif 000012